(57)【特許請求の範囲】
【請求項１】
アレイアンテナを構成する一のアンテナ素子からの受信信号を処理して内部機器に出力する一方、前記内部機器からの送信種信号を処理して前記一のアンテナ素子に出力する送受信モジュールにおいて、前記一のアンテナ素子側に配置されるモジュールケースの第一の側面に、前記一のアンテナ素子と電気的に接続する第１の入出力共通端子及び前記内部機器と電気的に接続する第２の入出力共通端子を設け、前記モジュールケースの第一の側面と反対側に位置する前記モジュールケースの第二の側面に制御・電源供給モジュールと電気的に接続する制御・電源供給端子を設けたことを特徴とする送受信モジュール。
【請求項２】
モジュールケースの第一の側面及び第二の側面と異なる前記モジュールケースの第三の側面に放熱フィンを設けたことを特徴とする請求項１に記載の送受信モジュール。
【請求項３】
制御・電源供給端子に制御・電源供給モジュールを直接接続して前記制御・電源供給モジュールと一体化したことを特徴とする請求項１又は請求項２に記載の送受信モジュール。
【発明の詳細な説明】
【０００１】
【発明の属する技術分野】
本発明は、アレイアンテナを構成する各アンテナ素子に接続する送受信モジュールに関する発明である。
【０００２】
【従来の技術】
図４は従来のマイクロ波送受信モジュール内部の構成を表すブロック図である。図４において、１ａはアンテナと高周波信号ケーブルで接続された入出力共通端子、１ｂは変復調器等の内部機器と高周波信号用ケーブルで接続された入出力共通端子、２はサーキュレータ、３は低雑音アンプ、４は受信増幅器、５は送受信切替器、６は送信増幅器、７は大電力増幅器、８は制御回路、９は制御・電源供給端子である。また、図５はモジュールケースの外形を表す図である。図５においても図４と同じ構成要素には同じ符号を付す。１０はモジュールケース、１１は放熱フィンである。（ａ）はモジュールケースの上面図であり、（ｂ）はモジュールケースの入出力端子を有する側面図であり、（ｃ）はモジュールケースの入出力端子および制御・電源供給端子を有する側面図であり、（ｄ）はモジュールケースの側面図である。
【０００３】
次に、動作について説明する。例えば、アレイアンテナを構成する各アンテナ素子に接続する送受信モジュールでは図４に示す通り、サーキュレータ４ｃ、送受信切替器４ｆによって経路を切り換えることにより送信機能および受信機能を一つのモジュール内で実施できるよう構成してある。例えば、入出力共通端子１ａ側にはアンテナが接続され、入出力端子１ｂ側には受信器や変復調器等の内部機器に接続されている場合において、受信時においては、アンテナを介して受信された受信信号は入出力共通端子１ａに入力され、サーキュレータ２、低雑音アンプ３、受信増幅器４、送受信切替器５を介して入出力共通端子１ｂから出力される。逆に送信時においては、入出力共通端子１ｂに内部機器からの送信種信号が入力され、入出力共通端子１ａからアンテナに出力が行われる。
【０００４】
図５は、モジュールケースの外形図である。当該モジュールケースはアレイアンテナのアンテナ素子と１対１で接続され、アンテナ開口面裏側の筐体部分（図示せず）に挿入され、上下左右に並べられ立体的に収納される。当該モジュールケースにおいて、アンテナ側と接続された入出力共通端子１ａが設けられた面と、内部機器側と接続された入出力端子１ｂおよび制御・電源端子５ｄが設けられた面とが異なる面に設けられている。
【０００５】
従来のモジュールケースは以上のように構成されており、二つの入出力共通端子のうち一方が制御・電源端子と同じ面に設けられている。当該同じ面に設けられた入出力共通端子は変復調モジュール等と高周波信号用のケーブルによって接続され、一方、同じ面の制御・電源端子は前記変復調モジュール等とは別の制御・電源供給モジュールと電源供給用のケーブルによって接続する。一般的に変復調モジュールは１つの装置であり、当該変復調モジュールから各送受信モジュールに信号が分配される構成となっている。一方、制御・電源供給モジュールは各送受信モジュールと１対１でケーブル接続され、各送受信モジュールのアンテナ素子とは反対側に位置する筐体部分に上下左右に並べられ立体的に収納されている。
【０００６】
しかし、送受信モジュールと制御・電源供給モジュールを収納するアンテナ筐体同士の間隔が狭い場合や、変復調モジュールの位置によってはケーブル同士が互いに邪魔になり、ケーブルの引き回しが困難な場合があった。
【０００７】
【発明が解決しようとする課題】
本発明は、以上の問題点を回避するためになされたものであり、マイクロ波送受信モジュールの設置、および接続ケーブルの引き回しを容易化し、また、装置規模の縮小化および組立性の向上を図るものである。
【０００８】
【課題を解決するための手段】
本発明に係る送受信モジュールは、アレイアンテナを構成する一のアンテナ素子からの受信信号を処理して内部機器に出力する一方、前記内部機器からの送信種信号を処理して前記一のアンテナ素子に出力する送受信モジュールにおいて、前記一のアンテナ素子側に配置されるモジュールケースの第一の側面に、前記一のアンテナ素子と電気的に接続する第１の入出力共通端子及び前記内部機器と電気的に接続する第２の入出力共通端子を設け、前記モジュールケースの第一の側面と反対側に位置する前記モジュールケースの第二の側面に制御・電源供給モジュールと電気的に接続する制御・電源供給端子を設けたものである。
【００１０】
また、他の発明に係る送受信モジュールは、モジュールケース第１の側面及び第２の側面と異なる前記モジュールケースの第３の側面に冷却用フィンを設けたものである。
【００１１】
また、他の発明に係る送受信モジュールは、制御・電源供給端子に制御・電源供給モジュールを直接接続して前記制御・電源供給モジュールと一体化したものである。
【００１２】
【発明の実施の形態】
実施の形態１．
本発明の実施の形態１について説明する。図１は本発明のマイクロ波送受信モジュールの内部の構成を表すブロック図である。図において、１ａはアンテナと高周波信号ケーブルケーブルで接続された入出力共通端子、１ｂは変復調器等の内部機器と高周波信号用ケーブルで接続された入出力共通端子、２はサーキュレータ、３は低雑音アンプ、４は受信増幅器、５は送受信切替器、６は送信増幅器、７は大電力増幅器、８は制御回路、９は制御・電源供給端子である。また、図２においても図１と同じ構成要素には同じ符号を付す。１０はモジュールケース、１１は放熱フィンである。図２（ａ）はモジュールケースの上面図であり、（ｂ）はモジュールケースの入出力端子を有する側面図であり、（ｃ）はモジュールケースの制御・電源供給端子を有する側面図であり、（ｄ）はモジュールケースの側面図である。
【００１３】
各内部機器の動作は従来例で示したものと同様である。モジュールケース１０には入出力共通端子１ａおよび１ｂと、制御・電源供給端子９とが別々の面に設けられている。入出力共通端子１ｂに接続された変復調モジュール（図示せず）と、制御・電源供給端子９に接続された制御・電源供給モジュール（図示せず）とは別々に配置される。そのため、従来のように入出力共通端子１ｂと制御・電源供給端子９とが同じ面内にある場合では、アンテナ筐体の大きさの都合上、送受信モジュールを収納する部分と、制御・電源供給モジュールを収納する筐体部分との間が狭く、変復調モジュールと接続するケーブルや、入出力端子が邪魔し合ってケーブルの引き回しが困難になる場合があるが、本発明のように入出力共通端子１ｂと制御・電源供給端子９とを異なる面に配置すれば、入出力共通端子１ｂおよび制御・電源供給端子９に接続された各ケーブルの引き回しが容易になり、その分制御・電源供給モジュールを本マイクロ波送受信モジュールとより接近して配置することも可能であり、小型化が図れる。
【００１４】
例えば、図３に示したように、本発明のマイクロ波送受信モジュールを制御・電源供給モジュール１２とケーブルを介することなく直接接続することも可能である。図３のように直結することで、さらに装置の小型化が図れる。
【００１５】
【発明の効果】
以上のように、本発明の送受信モジュールは、アンテナ素子側に配置されるモジュールケースの第一の側面に、アンテナ素子と電気的に接続する第１の入出力共通端子及び内部機器と電気的に接続する第２の入出力共通端子を設け、モジュールケースの第一の側面と反対側の第二の側面に制御・電源供給モジュールと電気的に接続する制御・電源供給端子を設けたため、送受信モジュールの設置、および接続ケーブルの引き回しを容易化し、アレイアンテナを含む装置全体の規模の縮小化および組立性の向上を図ることができる。
【図面の簡単な説明】
【図１】  本発明の実施の形態１に係るマイクロ波送受信モジュールの構成を表すブロック図である。
【図２】  本発明の実施の形態１に係るマイクロ波送受信モジュールのモジュールケースを表す図である。（ａ）モジュールケースの上面図である。（ｂ）モジュールケースの入出力端子を有する側面図である。（ｃ）モジュールケースの制御・電源供給端子を有する側面図である。（ｄ）モジュールケースの側面図である。
【図３】  本発明の実施の形態１に係るマイクロ波送受信モジュールを制御・電源供給モジュールと直結した図である。
【図４】  従来のマイクロ波送受信モジュールの構成を表すブロック図である。
【図５】  従来のマイクロ波送受信モジュールのモジュールケースを表す図である。（ａ）モジュールケースの上面図である。（ｂ）モジュールケースの入出力端子を有する側面図である。（ｃ）モジュールケースの入出力端子および制御・電源供給端子を有する側面図である。（ｄ）モジュールケースの側面図である。
【符号の説明】
１ａ、１ｂ  入出力共通端子、    ２  サーキュレータ、
３  低雑音アンプ、    ４  受信増幅器、    ５  送受信切替器、
６  送信増幅器、    ７  大電力増幅器、    ８  制御回路、
９  制御・電源供給端子、    １０  モジュールケース、
１１  放熱フィン。
【図１】
0003722074.tif 000002
【図２】
0003722074.tif 000003
【図３】
0003722074.tif 000004
【図４】
0003722074.tif 000005
【図５】
0003722074.tif 000006